(57)【特許請求の範囲】
【請求項１】
所定状態において第１面及び前記第１面と対向する第２面を有する筐体と、
前記所定状態において、前記筐体内部における前記第１面側に配置される第１ループ状アンテナ部と、
前記所定状態において、前記筐体内部における前記第２面側に配置される第２ループ状アンテナ部と、
給電部と、
前記給電部に接続されると共に、前記第１ループ状アンテナ部と前記第２ループ状アンテナ部とに電気的に接続可能に構成される接続アンテナ部と、
前記第１ループ状アンテナ部と前記接続アンテナ部との電気的な接続状態を切り替えると共に、前記第２ループ状アンテナ部と前記接続アンテナ部との電気的な接続状態を切り替えるスイッチ部と、
前記筐体における姿勢を検知する姿勢検知部と、
前記姿勢検知部により検知された前記筐体における姿勢に基づいて、前記スイッチ部における接続状態を制御するスイッチ制御部と、
アプリケーションの種類を検知するアプリケーション検知部と、を備え、
前記スイッチ制御部は、前記アプリケーション検知部により検知されたアプリケーションの種類に基づいて、モノポールアンテナを形成するよう前記スイッチ部における接続状態を制御する
携帯無線端末装置。
【請求項２】
表示部を有すると共に第１面を有する第１筐体と、
操作部を有すると共に第２面を有する第２筐体と、
前記第１筐体と前記第２筐体とが積層配置されると共に前記第１面及び前記第２面が外側を向くと共に互いに対向するように配置される閉状態と、前記第１筐体と前記第２筐体とが積層配置されない開状態とに変形可能に前記第１筐体と前記第２筐体とを連結する連結部と、
前記第１筐体内部に配置される第１ループ状アンテナ部と、
前記第２筐体内部に配置される第２ループ状アンテナ部と、
給電部と、
前記給電部に接続されると共に、前記第１ループ状アンテナ部と前記第２ループ状アンテナ部とに電気的に接続可能に構成される接続アンテナ部と、
前記第１ループ状アンテナ部と前記接続アンテナ部との電気的な接続状態を切り替える共に、前記第２ループ状アンテナ部と前記接続アンテナ部との電気的な接続状態を切り替えるスイッチ部と、
前記１筐体及び前記第２筐体における開閉状態を検知する状態検知部と、
前記第１筐体及び第２筐体における姿勢を検知する姿勢検知部と、
前記状態検知部により前記第１筐体及び前記第２筐体が前記閉状態であることが検知された場合、前記姿勢検知部により検知された前記第１筐体及び前記第２筐体における姿勢に基づいて、前記スイッチ部における接続状態を制御するスイッチ制御部と、
アプリケーションの種類を検知するアプリケーション検知部と、を備え、
前記スイッチ制御部は、前記アプリケーション検知部により検知されたアプリケーションの種類に基づいて、モノポールアンテナを形成するよう前記スイッチ部における接続状態を制御する
携帯無線端末装置。
【請求項３】
前記スイッチ制御部は、前記状態検知部により前記第１筐体及び前記第２筐体が前記閉状態であることが検知された場合、
前記姿勢検知部により検知された前記第１筐体及び第２筐体における姿勢に基づいて、前記第１ループ状アンテナ部又は前記第２ループ状アンテナ部のうち垂直方向下側に配置されるループアンテナ部が機能するよう前記スイッチ部における接続状態を制御する
請求項２に記載の携帯無線端末装置。
【請求項４】
前記スイッチ制御部は、前記状態検知部により前記第１筐体及び前記第２筐体が前記開状態であることが検知された場合、前記スイッチ部における接続状態を制御する
請求項２又は３に記載の携帯無線端末装置。
【請求項５】
前記スイッチ制御部は、前記アプリケーション検知部により検知されたアプリケーションの種類が所定の種類である場合、前記スイッチ部における接続状態を制御する
請求項４に記載の携帯無線端末装置。
【請求項６】
前記スイッチ制御部は、
前記接続アンテナ部の全部又は一部からなる第１モノポールアンテナと、
前記接続アンテナ部の全部又は一部と前記第１ループ状アンテナ部又は前記第２ループ状アンテナ部とを含む第２モノポールアンテナと、を形成するよう前記スイッチ部における接続状態を制御可能に構成される
請求項５に記載の携帯無線端末装置。
【請求項７】
テレビジョン放送を受信可能なテレビジョン通信部を備え、
前記スイッチ制御部は、前記アプリケーション検知部により検知されたアプリケーションの種類がテレビジョン視聴用アプリケーションである場合、テレビジョン放送受信アンテナとして、前記第２モノポールアンテナを形成するよう前記スイッチ部における接続状態を制御する
請求項６に記載の携帯無線端末装置。
【請求項８】
第１面及び前記第１面に対向する第２面を有する一の筐体と、
前記筐体内部における前記第１面側に配置される第１ループ状アンテナ部と、
前記筐体内部における前記第２面側に配置される第２ループ状アンテナ部と、
給電部と、
前記給電部に接続されると共に、前記第１ループ状アンテナ部と前記第２ループ状アンテナ部とに電気的に接続可能に構成される接続アンテナ部と、
前記第１ループ状アンテナ部と前記接続アンテナ部との電気的な接続を切り替えると共に、前記第２ループ状アンテナ部と前記接続アンテナ部との電気的な接続を切り替えるスイッチ部と、
前記筐体における姿勢を検知する姿勢検知部と、
前記姿勢検知部により検知された前記筐体における姿勢に基づいて、前記スイッチ部における接続状態を制御するスイッチ制御部と、
アプリケーションの種類を検知するアプリケーション検知部と、を備え、
前記スイッチ制御部は、前記アプリケーション検知部により検知されたアプリケーションの種類に基づいて、モノポールアンテナを形成するよう前記スイッチ部における接続状態を制御する
携帯無線端末装置。
【請求項９】
前記第１ループ状アンテナ部及び前記第２ループ状アンテナ部それぞれは、非接触ＩＣカード用アンテナである
請求項１から８のいずれかに記載の携帯無線端末装置。
【請求項１０】
前記姿勢検知部は、地磁気センサを含んで構成される
請求項１から９のいずれかに記載の携帯無線端末装置。
【発明の詳細な説明】
【技術分野】
【０００１】
本発明は、携帯電話機等の携帯無線通信装置に関する。
【背景技術】
【０００２】
近年、携帯無線端末装置としての携帯電話機には、非接触ＩＣカードと同様の機能を備えるものがある。
例えば、ループアンテナと、ループアンテナに接続されたＩＣモジュール（ＲＦＩＤチップ）とを有し、外部のリーダ・ライタ装置とループアンテナとが誘導結合されることにより、リーダ・ライタ装置によるＩＣモジュールからの情報の読み出しやＩＣモジュールへの情報の書き込みが行われる携帯電話機が提案されている（例えば、特許文献１参照）。
【先行技術文献】
【特許文献】
【０００３】
【特許文献１】特開２００７−３３６４８０号公報
【発明の概要】
【発明が解決しようとする課題】
【０００４】
しかし、特許文献１において、ループアンテナを機能させるためには、筺体における予め定められた一方の面側を外部のリーダ・ライタ装置に近づける必要があった。
ユーザは、例えば、時間がない状態においても、リーダ・ライタ装置に対して筺体のどちらを向けるか確認する必要があった。
【０００５】
本発明は、２つのループ状アンテナ部を有すると共に、筺体の姿勢に基づいていずれかのループ状アンテナ部を機能させる携帯無線端末装置を提供することを目的とする。
【課題を解決するための手段】
【０００６】
本発明は、所定状態において第１面及び前記第１面と対向する第２面を有する筐体と、前記所定状態において、前記筐体内部における前記第１面側に配置される第１ループ状アンテナ部と、前記所定状態において、前記筐体内部における前記第２面側に配置される第２ループ状アンテナ部と、給電部と、前記給電部に接続されると共に、前記第１ループ状アンテナ部と前記第２ループ状アンテナ部とに電気的に接続可能に構成される接続アンテナ部と、前記第１ループ状アンテナ部と前記接続アンテナ部との電気的な接続状態を切り替えると共に、前記第２ループ状アンテナ部と前記接続アンテナ部との電気的な接続状態を切り替えるスイッチ部と、前記筐体における姿勢を検知する姿勢検知部と、前記姿勢検知部により検知された前記筐体における姿勢に基づいて、前記スイッチ部における接続状態を制御するスイッチ制御部と、アプリケーションの種類を検知するアプリケーション検知部と、を備え、前記スイッチ制御部は、前記アプリケーション検知部により検知されたアプリケーションの種類に基づいて、モノポールアンテナを形成するよう前記スイッチ部における接続状態を制御する携帯無線端末装置に関する。
【０００７】
本発明は、表示部を有すると共に第１面を有する第１筐体と、操作部を有すると共に第２面を有する第２筐体と、前記第１筐体と前記第２筐体とが積層配置されると共に前記第１面及び前記第２面が外側を向くと共に互いに対向するように配置される閉状態と、前記第１筐体と前記第２筐体とが積層配置されない開状態とに変形可能に前記第１筐体と前記第２筐体とを連結する連結部と、前記第１筐体内部に配置される第１ループ状アンテナ部と、前記第２筐体内部に配置される第２ループ状アンテナ部と、給電部と、前記給電部に接続されると共に、前記第１ループ状アンテナ部と前記第２ループ状アンテナ部とに電気的に接続可能に構成される接続アンテナ部と、前記第１ループ状アンテナ部と前記接続アンテナ部との電気的な接続状態を切り替える共に、前記第２ループ状アンテナ部と前記接続アンテナ部との電気的な接続状態を切り替えるスイッチ部と、前記１筐体及び前記第２筐体における開閉状態を検知する状態検知部と、前記第１筐体及び第２筐体における姿勢を検知する姿勢検知部と、前記状態検知部により前記第１筐体及び前記第２筐体が前記閉状態であることが検知された場合、前記姿勢検知部により検知された前記第１筐体及び前記第２筐体における姿勢に基づいて、前記スイッチ部における接続状態を制御するスイッチ制御部と、アプリケーションの種類を検知するアプリケーション検知部と、を備え、前記スイッチ制御部は、前記アプリケーション検知部により検知されたアプリケーションの種類に基づいて、モノポールアンテナを形成するよう前記スイッチ部における接続状態を制御する携帯無線端末装置に関する。
【０００８】
また、前記スイッチ制御部は、前記状態検知部により前記第１筐体及び前記第２筺体が前記閉状態であることが検知された場合、前記姿勢検知部により検知された前記第１筐体及び第２筺体における姿勢に基づいて、前記第１ループ状アンテナ部又は前記第２ループ状アンテナ部のうち垂直方向下側に配置されるループアンテナ部が機能するよう前記スイッチ部における接続状態を制御することが好ましい。
【０００９】
また、前記スイッチ制御部は、前記状態検知部により前記第１筐体及び前記第２筐体が前記開状態であることが検知された場合、前記スイッチ部における接続状態を制御することが好ましい。
【００１０】
また、前記スイッチ制御部は、前記アプリケーション検知部により検知されたアプリケーションの種類が所定の種類である場合、前記スイッチ部における接続状態を制御することが好ましい。
【００１１】
また、前記スイッチ制御部は、前記接続アンテナ部の全部又は一部からなる第１モノポールアンテナと、前記接続アンテナ部の全部又は一部と前記第１ループ状アンテナ部又は前記第２ループアンテナ部とを含む第２モノポールアンテナと、を形成するよう前記スイッチ部における接続状態を制御可能に構成されることが好ましい。
【００１２】
また、テレビジョン放送を受信可能なテレビジョン通信部を備え、前記スイッチ制御部は、前記アプリケーション検知部により検知されたアプリケーションの種類がテレビジョン視聴用アプリケーションである場合、テレビジョン放送受信アンテナとして、前記第２モノポールアンテナを形成するよう前記スイッチ部における接続状態を制御することが好ましい。
【００１３】
本発明は、第１面及び前記第１面に対向する第２面を有する一の筐体と、前記筐体内部における前記第１面側に配置される第１ループ状アンテナ部と、前記筐体内部における前記第２面側に配置される第２ループ状アンテナ部と、給電部と、前記給電部に接続されると共に、前記第１ループ状アンテナ部と前記第２ループ状アンテナ部とに電気的に接続可能に構成される接続アンテナ部と、前記第１ループ状アンテナ部と前記接続アンテナ部との電気的な接続を切り替えると共に、前記第２ループ状アンテナ部と前記接続アンテナ部との電気的な接続を切り替えるスイッチ部と、前記筐体における姿勢を検知する姿勢検知部と、前記姿勢検知部により検知された前記筐体における姿勢に基づいて、前記スイッチ部における接続状態を制御するスイッチ制御部と、アプリケーションの種類を検知するアプリケーション検知部と、を備え、前記スイッチ制御部は、前記アプリケーション検知部により検知されたアプリケーションの種類に基づいて、モノポールアンテナを形成するよう前記スイッチ部における接続状態を制御する携帯無線端末装置に関する。
【００１４】
また、上記いずれかの携帯無線端末装置において、前記第１ループ状アンテナ部及び前記第２ループ状アンテナ部それぞれは、非接触ＩＣカード用アンテナであることが好ましい。
【００１５】
また、上記いずれかの携帯無線端末装置において、前記姿勢検知部は、地磁気センサを含んで構成されることが好ましい。
【発明の効果】
【００１６】
本発明によれば、２つのループ状アンテナ部を有すると共に、筺体の姿勢に基づいていずれかのループ状アンテナ部を機能させる携帯無線端末装置を提供することができる。
【図面の簡単な説明】
【００１７】
【図１】開状態における携帯電話機１の外観斜視図を示す。
【図２】操作部側筐体２に内蔵される部材の分解斜視図である。
【図３】表示部側筐体３に内蔵される部材の分解斜視図である。
【図４】携帯電話機１が開状態における可変アンテナ１００を説明する平面図である。
【図５】携帯電話機１が閉状態における可変アンテナ１００を説明するＡ−Ａ断面図である。
【図６】可変アンテナ１００を説明する模式図である。
【図７】携帯電話機１における回路構成を説明するブロック図である。
【図８】携帯電話機における機能ブロック図である。
【図９】スイッチ切り替えテーブルを説明する図である。
【図１０Ａ】第１ループ状アンテナに状態遷移した可変アンテナを説明する図である。
【図１０Ｂ】第２ループ状アンテナに状態遷移した可変アンテナを説明する図である。
【図１０Ｃ】第１モノポールアンテナに状態遷移した可変アンテナを説明する図である。
【図１０Ｄ】第２モノポールアンテナに状態遷移した可変アンテナを説明する図である。
【図１１】携帯電話機における動作を説明するフロー図である。
【発明を実施するための形態】
【００１８】
以下、図面を参照して本発明を実施するための形態を説明する。
まず、図１により、携帯電話機１における基本構造を説明する。図１は、開状態における携帯電話機１の外観斜視図を示す。
【００１９】
図１に示すように、携帯無線端末装置としての携帯電話機１は、第２筐体としての操作部側筐体２と、第１筐体としての表示部側筐体３と、を備える。操作部側筐体２は、操作部側内面２Ａと、操作部側内面２Ａと反対側の操作部側外面２Ｂ（第２面）とを備える。表示部側筐体３は、表示部側内面３Ａと、表示部側内面３Ａと反対側の表示部側外面３Ｂ（第１面）とを備える。
【００２０】
操作部側筐体２と表示部側筐体３とは、ヒンジ機構を備える連結部４を介して連結される。具体的には、操作部側筐体２の上端部と表示部側筐体３の下端部とは、連結部４を介して連結される。
【００２１】
連結部４は、表示部側筐体３と操作部側筐体２とが積層配置されると共に表示部側外面３Ｂ（第１面）及び操作部側外面２Ｂ（第２面）が外側を向くと共に互いに対向するように配置される閉状態と、表示部側筐体３と操作部側筐体２とが積層配置されない開状態とに変形可能に操作部側筐体２と表示部側筐体３とを開閉軸Ｒを中心に開閉可能に連結する。
【００２２】
これにより、携帯電話機１は、連結部４を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。
【００２３】
操作部側筐体２は、外面がフロントケース２ａとリアケース２ｂとにより構成される。操作部側筐体２は、フロントケース２ａ側（操作部側内面２Ａ側）に、操作キー群１１と、携帯電話機１の使用者が通話時に発した音声が入力されるマイクとしてのマイク１２とがそれぞれ露出するように構成される。
【００２４】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、或いは起動されているアプリケーション等の種類に応じて所定の機能が割り当てられる（キー・アサイン）。そして、使用者が各キーを押圧することにより、各キーに割り当てられている機能に応じた動作が実行される。
【００２５】
マイク１２は、操作部側筐体２の長手方向における連結部４側と反対の外端部側に配置される。つまり、マイク１２は、携帯電話機１が開状態において一方の外端部側に配置される。
【００２６】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００２７】
表示部側筐体３は、外面がフロントパネル３ａと、フロントケース３ｂと、リアケース３ｃと、リアパネル３ｄとにより構成される。表示部側筐体３には、表示部側内面３Ａに各種情報を表示するための表示部２１と、通話の相手側の音声を出力するレシーバとしてのスピーカ２２と、が外部に露出するように配置される。
表示部２１は、液晶パネルと、この液晶パネルを駆動する駆動回路と、この液晶パネルの背面側から光を照射するバックライト等の光源部とから構成される。
【００２８】
次いで、図２から図６により、操作部側筐体２及び表示部側筐体３の内部構造について説明する。
図２は、操作部側筐体２に内蔵される部材の分解斜視図である。図３は、表示部側筐体３に内蔵される部材の分解斜視図である。図４は、携帯電話機１が開状態における可変アンテナ１００を説明する平面図である。図５は、携帯電話機１が閉状態における可変アンテナ１００を説明するＡ−Ａ断面図である。図６は、可変アンテナ１００を説明する模式図である。
【００２９】
図２に示すように、操作部側筐体２は、フロントケース２ａと、キー構造部４０と、キー基板５０と、ケース体６０と、基準電位パターン層７５及び携帯電話機用のＲＦ（Ｒａｄｉｏ  Ｆｒｅｑｕｅｎｃｙ）モジュール等の各種電子部品を備える回路基板７０と、外部の基地局を介した無線通信用のメインアンテナ部９０と、可変アンテナ１００の一部（第２ループ状アンテナ部１０３）と、バッテリリッド２ｃを備えたリアケース２ｂと、バッテリ８０とを備える。
【００３０】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部４０と、キー基板５０と、ケース体６０と、回路基板７０と、メインアンテナ部９０と、可変アンテナ１００の一部（第２ループ状アンテナ部１０３）とが挟まれるようにして内蔵される。
【００３１】
フロントケース２ａには、操作部側内面２Ａに、キー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出される。この露出した機能設定操作キー部材１３ｂ、入力操作キー部材１４ｂ及び決定操作キー部材１５ｂの押圧面を押し下げるように押圧することで、対応するキースイッチ５１、５２、５３それぞれに設けられる後述のメタルドーム（椀状形状）の頂点が押圧され、スイッチ端子に接触して電気的に導通する。
【００３２】
キー構造部４０は、操作部材４０Ａと、補強部材としてのキーフレーム４０Ｂと、シート部材としてのキーシート４０Ｃと、により構成される。
【００３３】
操作部材４０Ａは、複数のキー操作部材により構成される。具体的には、機能設定操作キー部材１３ｂと、入力操作キー部材１４ｂと、決定操作キー部材１５ｂとにより構成される。キーシート４０Ｃに接着された各操作キー部材それぞれにおける押圧面は、上述の通り、キー孔１３ａ、１４ａ、１５ａそれぞれから外部に露出して配置される。
【００３４】
キーフレーム４０Ｂは、孔部１４ｃが複数形成された金属性の板状部材である。キーフレーム４０Ｂは、入力操作キー部材１４ｂの押圧による回路基板７０等への悪影響を防ぐための補強部材であると共に、静電気を逃がすための部材としても機能する。キーフレーム４０Ｂに形成される複数の孔部１４ｃには、後述するキーシート４０Ｃに形成される凸部１４ｄが嵌合するように配置される。そして、この凸部１４ｄに入力操作キー部材１４ｂが接着される。
【００３５】
キーシート４０Ｃは、可撓性を有するシリコンゴム製のシート状部材である。キーシート４０Ｃには、上述の通り、複数の凸部１４ｄが形成される。複数の凸部１４ｄそれぞれは、後述するキースイッチ５２に対応する位置に形成される。
【００３６】
キー基板５０は、キーシート４０Ｃ側の面である第１面５０ａに配置される複数のキースイッチ５１、５２、５３を有する。複数のキースイッチ５１、５２、５３、それぞれは、各操作部材４０Ａに対応する位置に配置される。キー基板５０に配置されるキースイッチ５１、５２、５３は、椀状に湾曲して立体的に形成された金属板のメタルドームを有する構造になっている。メタルドームは、その椀状形状の頂点が押圧されると、キー基板５０の表面に印刷された電気回路（図示せず）に形成されるスイッチ端子に接触して電気的に導通するように構成される。
【００３７】
図２に示すように、ケース体６０は、薄型の直方体における一の広い面が開口した形状を有する導電性の部材である。ケース体６０は、平板部６１における開口側の面に略垂直に形成されるリブ６２を有する。リブ６２は、平板部６１の周縁及び内側に基準電位部を構成する基準電位パターン層７５に対応するように形成される。
ケース体６０は、リブの底面が基準電位パターン層７５に当接されることで、該基準電位パターン層７５と電気的に接続される。ケース体６０は、基準電位パターン層７５と電気的に導通して該基準電位パターン層７５と同じ大きさの電位を有するようになる。つまり、ケース体６０は、シールドケースとして機能する。
ケース体６０は、シールドケースとして外部からの高周波等のノイズが回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やメインアンテナ部９０に接続される受信回路等に作用することを抑制する。
【００３８】
図２に示すように、回路基板７０には、メインアンテナ部９０が送受信する信号を処理する信号処理部を含む不図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００３９】
回路基板７０におけるケース体６０側の第１面７０ａには、上述の各種電子部品のほか、基準電位部を構成する基準電位パターン層７５が形成される。基準電位パターン層７５は、上述の各回路ブロックを区画するように形成される。基準電位パターン層７５は、回路基板７０の第１面７０ａの表面に導電性の部材を所定パターンで印刷することで形成される。
回路基板７０におけるバッテリ側の第２面７０ｂには、可変アンテナ１００に接続されるＲＦＩＤチップ１１０が配置される。ＲＦＩＤチップ１１０は、可変アンテナ１００を介して外部のリーダ・ライタ装置により情報の読み出し及び情報の書き込み処理が行われる。
【００４０】
メインアンテナ部９０は、基台上に所定形状のアンテナエレメントが配置されることにより構成さる。メインアンテナ部９０は、携帯電話機１における連結部４側と反対の端部側に配置される。メインアンテナ部９０のアンテナエレメントは、帯状の板金により形成される。また、メインアンテナ部９０は、不図示の給電端子を介して回路基板７０から給電される。これにより、アンテナエレメントは、給電端子を介して回路基板７０から給電されると共に、回路基板７０のＲＦモジュール等と接続される。
【００４１】
図４から図６に示すように、可変アンテナ１００は、操作部側筐体２と、連結部４と、表示部側筐体３とにわたって配置される。
図４及び図６に示すように、可変アンテナ１００は、シート部１０１と、シート部１０１に配置される可変アンテナ部ＡＴと備える。可変アンテナ部ＡＴは、後述の通り、２つのループ状アンテナ部（第１ループ状アンテナ部１０２、第２ループ状アンテナ部１０３）と、２つのループ状アンテナ部をつなぐ接続アンテナ部１０４とを有する。
【００４２】
シート部１０１は、第１ループ状アンテナ部１０２が配置される第１部１０１ａと、第２ループ状アンテナ部１０３が配置される第２部１０１ｂと、接続アンテナ部１０４が配置される第３部１０１ｃとを有する。
【００４３】
第１部１０１ａは、表示部側筐体３の内部における表示部側外面３Ｂ側に配置される。第１部１０１ａは、第１ループ状アンテナ部１０２の形状に応じた形状に形成される。本実施形態において、第１部１０１ａは、矩形状に形成される。
【００４４】
第２部１０１ｂは、操作部側筐体２の内部における操作部側外面２Ｂ側に配置される。第２部１０１ｂは、第２ループ状アンテナ部１０３の形状に応じた形状に形成される。本実施形態において、第２部１０１ｂは、矩形状に形成される。
【００４５】
第３部１０１ｃは、おもに（少なくとも一部が）連結部４の内部に配置される。第２部１０１ｂは、接続アンテナ部１０４の形状に応じた形状に形成される。本実施形態において、第３部１０１ｃは、細長状に形成される。
ここで、シート部１０１は、ＰＥＴ（ｐｏｌｙｅｔｈｙｌｅｎｅ  ｔｅｒｅｐｈｔｈａｌａｔｅ）材料からなるシート状の部材であって、柔軟に変形可能な部材である。
【００４６】
図４及び図６に示すように、可変アンテナ部ＡＴは、第１ループ状アンテナ部１０２と、第２ループ状アンテナ部１０３と、接続アンテナ部１０４と、給電部１９０と、スイッチ部ＳＷとを有する。
【００４７】
図４及び図５に示すように、第１ループ状アンテナ部１０２は、シート部１０１における第１部１０１ａに配置される。第１ループ状アンテナ部１０２は、表示部側筐体３における表示部側外面３Ｂ側に配置される。
図６に示すように、第１ループ状アンテナ部１０２は、例えば、導電性の薄膜部材が平面状に巻き回されて形成される。
【００４８】
第１ループ状アンテナ部１０２は、第１Ａスイッチ部１５０及び第１Ｂスイッチ部１５５により接続アンテナ部１０４に電気的に接続／非接続可能に構成される。また、言い換えると、第１ループ状アンテナ部１０２は、接続アンテナ部１０４（第１接続アンテナ部１０４Ａ及び／又は第２接続アンテナ部１０４Ｂ）により接続アンテナ部１０４を介して給電部１９０に接続／非接続可能に構成される。
【００４９】
第１ループ状アンテナ部１０２は、接続アンテナ部１０４と共に第１ループ状アンテナを形成する部分である。また、第１ループ状アンテナ部１０２は、接続アンテナ部１０４における後述する第１接続アンテナ部１０４Ａと共に第２モノポールアンテナを形成する部分である。
【００５０】
図４及び図５に示すように、第２ループ状アンテナ部１０３は、シート部１０１における第２部１０１ｂに配置される。第２ループ状アンテナ部１０３は、操作部側筐体２における操作部側外面２Ｂ側に配置される。
図６に示すように、第２ループ状アンテナ部１０３は、例えば、第１ループ状アンテナ部１０２と同様に、導電性の薄膜部材が平面状に巻き回されて形成される。
【００５１】
第２ループ状アンテナ部１０３は、第２Ａスイッチ部１６０及び第２Ｂスイッチ部１６５により接続アンテナ部１０４に電気的に接続／非接続可能に構成される。また、第２ループ状アンテナ部１０３は、接続アンテナ部１０４（第１接続アンテナ部１０４Ａ及び／又は第２接続アンテナ部１０４Ｂ）により接続アンテナ部１０４を介して給電部１９０に接続／非接続可能に構成される。
【００５２】
また、第２ループ状アンテナ部１０３は、接続アンテナ部１０４の一部（第２エレメント１０４ｂ及び第４エレメント１０４ｄ）と共に第２ループ状アンテナを形成する部分である。
【００５３】
図４及び図５に示すように、接続アンテナ部１０４は、シート部１０１における第３部１０１ｃに配置される。接続アンテナ部１０４は、主に（少なくとも一部が）連結部４に配置される。接続アンテナ部１０４は、給電部１９０に接続される。接続アンテナ部１０４は、第１ループ状アンテナ部１０２と第２ループ状アンテナ部１０３とに電気的に接続／非接続可能に構成される。
図６に示すように、接続アンテナ部１０４は、例えば、直線状の導電性である薄膜部材により構成される。
【００５４】
接続アンテナ部１０４は、第１接続アンテナ部１０４Ａと、第２接続アンテナ部１０４Ｂとを有する。
第１接続アンテナ部１０４Ａは、第１エレメント１０４ａと、第２エレメント１０４ｂとを有する。
第２接続アンテナ部１０４Ｂは、第３エレメント１０４ｃと、第４エレメント１０４ｄとを有する。
【００５５】
第１エレメント１０４ａは、一端が第１Ａスイッチ部１５０により第１ループ状アンテナ部１０２に電気的に接続／非接続可能に構成される。また、第１エレメント１０４ａは、他端が第２Ａスイッチ部１６０により第２エレメント１０４ｂと接続／非接続可能に構成される。
【００５６】
第２エレメント１０４ｂは、一端が給電部１９０に接続される。第２エレメント１０４ｂは、他端が第２Ａスイッチ部１６０により第１エレメント１０４ａ又は第２ループ状アンテナ部１０３に選択的に接続される。
【００５７】
第３エレメント１０４ｃは、一端が第１Ｂスイッチ部１５５により第１ループ状アンテナ部１０２に電気的に接続／非接続可能に構成される。また、第３エレメント１０４ｃは、他端が第２Ｂスイッチ部１６５により第４エレメント１０４ｄと接続／非接続可能に構成される。
【００５８】
第４エレメント１０４ｄは、一端が給電部１９０に接続される。第４エレメント１０４ｄは、他端が第２Ｂスイッチ部１６５により第３エレメント１０４ｃ又は第２ループ状アンテナ部１０３に選択的に接続される。
【００５９】
また、接続アンテナ部１０４は、第１モノポールアンテナ（図１０Ｃ参照）を構成する。例えば、第１接続アンテナ部１０４Ａ（第１エレメント１０４ａ及び第２エレメント１０４ｂ）は、単独で直線状の第１モノポールアンテナを形成する。
また、接続アンテナ部１０４は、第２モノポールアンテナ（図１０Ｄ参照）を構成する。例えば、第１接続アンテナ部１０４Ａ及び第１ループ状アンテナ部１０２とは、直線状の部分と直線状の部分に連続して形成される巻き回された部分とを有する第２モノポールアンテナを形成する。
【００６０】
給電部１９０は、接続アンテナ部１０４に電気的に接続される。給電部１９０は、接続アンテナ部１０４を介して第１ループ状アンテナ部１０２や第２ループ状アンテナ部１０３に接続される。
【００６１】
スイッチ部ＳＷは、第１ループ状アンテナ部１０２と接続アンテナ部１０４との電気的な接続状態を切り替えると共に、第２ループ状アンテナ部１０３と接続アンテナ部１０４との電気的な接続状態を切り替える。また、スイッチ部ＳＷは、接続アンテナ部１０４を構成する各エレメント同士の電気的な接続状態を切り替える。
【００６２】
スイッチ部ＳＷは、第１Ａスイッチ部１５０と、第１Ｂスイッチ部１５５と、第２Ａスイッチ部１６０と、第２Ｂスイッチ部１６５とを有する。
【００６３】
第１Ａスイッチ部１５０は、接点１５１と、接点１５２とを有する。第１Ａスイッチ部１５０は、接点１５１と接点１５２とが接続された接続状態と、接点１５１と接点１５２とが接続されていない非接続状態とに状態遷移可能に構成される。第１Ａスイッチ部１５０は、第１接続アンテナ部１０４Ａ（第１エレメント１０４ａ）と第１ループ状アンテナ部１０２とを接続状態／非接続状態に切り替えることができる。
【００６４】
第１Ｂスイッチ部１５５は、接点１５６と、接点１５７とを有する。第１Ｂスイッチ部１５５は、接点１５６と接点１５７とが接続された接続状態と、接点１５６と接点１５７とが接続されていない非接続状態とに状態遷移可能に構成される。第１Ｂスイッチ部１５５は、第１接続アンテナ部１０４Ａ（第３エレメント１０４ｃ）と第１ループ状アンテナ部１０２とを接続状態／非接続状態に切り替えることができる。
【００６５】
第２Ａスイッチ部１６０は、接点１６１と、接点１６２ａと、接点１６２ｂとを有する。第２Ａスイッチ部１６０は、接点１６１と接点１６２ａとが接続された状態と、接点１６１と接点１６２ｂとが接続された状態とに状態遷移可能に構成される。
第２Ａスイッチ部１６０は、第２エレメント１０４ｂと第１エレメント１０４ａとが接続された状態と、第２エレメント１０４ｂと第２ループ状アンテナ部１０３とが接続された状態とに状態を切り替えることができる。
【００６６】
第２Ｂスイッチ部１６５は、接点１６６と、接点１６７ａと、接点１６７ｂとを有する。第２Ｂスイッチ部１６５は、接点１６６と接点１６７ａとが接続された状態と、接点１６６と接点１６７ｂとが接続された状態とに状態遷移可能に構成される。
第２Ｂスイッチ部１６５は、第３エレメント１０４ｃと第４エレメント１０４ｄとが接続された状態と、第４エレメント１０４ｄと第２ループ状アンテナ部１０３とが接続された状態とに状態を切り替えることができる。
【００６７】
スイッチ部ＳＷは、第１Ａスイッチ部１５０、第１Ｂスイッチ部１５５、第２Ａスイッチ部１６０、第２Ｂスイッチ部１６５における接続状態を組み合わせることで、可変アンテナＡＴを複数の態様に変化させることができる。
【００６８】
例えば、スイッチ部ＳＷは、後述するスイッチ切り替えテーブル記憶部５１０により記憶されるスイッチ切り替えテーブル５１５に示すように、各スイッチ部における接続状態を組み合わせることで、可変アンテナ１００（可変アンテナ部ＡＴ）を所定の態様にすることができる。
【００６９】
スイッチ部ＳＷは、各スイッチ部の接続状態を切り替えることで、例えば、可変アンテナ１００（可変アンテナ部ＡＴ）を第１ループ状アンテナ、第２ループ状アンテナ、第１モノポールアンテナ、第２モノポールアンテナとして機能させることができる。
ここで、スイッチ部ＳＷは、各スイッチ部の接続状態を切り替えることで、第１ループ状アンテナ部１０２又は第２ループ状アンテナ部１０３のいずれか一方をループ状アンテナとして機能させることができる。
また、スイッチ部ＳＷは、各スイッチ部の接続状態を切り替えることで、可変アンテナ１００（可変アンテナ部ＡＴ）を、異なる周波数に対応した異なるモノポールアンテナ（例えば、メール通信用モノポールアンテナと、テレビジョン放送受信用モノポールアンテナ）として機能させることができる。
【００７０】
ここで、スイッチ部ＳＷ（各スイッチ）は、後述するスイッチ制御部４４０からの指示に基づいて、接続状態が切り替えられる。
【００７１】
図５に示すように、携帯電話機１が閉状態において、可変アンテナ１００は、操作部側筐体２に配置される第２ループ状アンテナ部１０３が表示部側外面３Ｂ（第１面）側に配置されると共に、表示部側筐体３に配置される第１ループ状アンテナ部１０２が操作部側外面２Ｂ（第２面）に配置される。
【００７２】
ここで、本実施形態において、外部に配置されたリーダ・ライタ装置に閉状態の携帯電話機１を近接させた場合、スイッチ部ＳＷは、垂直方向下側に配置されたループ状アンテナ部が機能するよう制御される。
【００７３】
可変アンテナ１００（可変アンテナ部ＡＴ）は、表示部側外面３Ｂ（第１面）と操作部側外面２Ｂ（第２面）とのいずれの側が垂直方向下側に向けられてリーダ・ライタ装置に近づけられた場合でも、自動的に垂直方向下側（リーダ・ライタ装置に近い側）のループ状アンテナ部が機能するよう状態遷移可能に構成される。
ここで、第１ループ状アンテナ部１０２及び第２ループ状アンテナ部１０３それぞれは、非接触ＩＣカード用アンテナとして機能する。
【００７４】
また、可変アンテナ１００（可変アンテナ部ＡＴ）は、所定の条件（開閉条件や起動しているアプリケーションの種類）によって、メール通信機能や、テレビジョン視聴機能（ワンセグＴＶ放送視聴機能）に対応したモノポールアンテナとして機能するよう状態遷移可能に構成される。
【００７５】
図２に示すように、リアケース２ｂの一端側（図２において）には、取り外し可能なバッテリリッド２ｃが設けられている。バッテリリッド２ｃは、バッテリ８０をリアケース２ｂの外側から収納した後、リアケース２ｂに装着される。また、リアケース２ｂにおける一端側には、ユーザの音声を入力する不図示のマイク１２が収容される。
【００７６】
続けて、図３に示すように、表示部側筐体３は、フロントパネル３ａと、スピーカ２２と、フロントケース３ｂと、スピーカ２２と、表示部２１と、表示部２１が接続されたプリント基板８５と、リアケース３ｃと、リアパネル３ｄと、可変アンテナ１００の一部（第１ループ状アンテナ部１０２）とを備える。
【００７７】
表示部側筐体３は、フロントパネル３ａと、フロントケース３ｂと、表示部２１と、プリント基板８５と、リアケース３ｃと、リアパネル３ｄとがそれぞれが積層的に配置される。具体的には、フロントケース３ｂとリアケース３ｃとは、互いの凹状の内側面が向き合うように配置され、互いの外周縁が重なり合うようにして結合される。
【００７８】
そして、フロントケース３ｂとリアケース３ｃとの間には、表示部２１が接続されたプリント基板８５が挟まれるようにして内蔵される。プリント基板８５には、不図示のアンプと接続されるスピーカが接続される。
【００７９】
続けて、図７により、携帯電話機１の回路構成について説明する。
図７は、携帯電話機１における回路構成を説明するブロック図である。
図７に示すように、携帯電話機１は、操作部側筐体２に配置される無線通信部２００と、入力部としての操作部６００と、マイク１２と、ＬＣＤ制御部４２と、音声処理部４３と、記憶部としてのメモリ４４と、ＣＰＵ４５と、電源部４６と、制御ＩＣ４７と、可変アンテナ１００と、ＲＦＩＤチップ１１０と、表示部側筐体３に配置される表示部２１と、スピーカ２２と、ドライバＩＣ２５とを備える。
【００８０】
無線通信部２００は、所定の使用周波数帯により外部装置と通信を行うメインアンテナ部９０と、変調処理又は復調処理等の信号処理を行う通信処理部２０１と、を備える。
【００８１】
メインアンテナ部９０は、所定の使用周波数帯（例えば、８００ＭＨｚ）で不図示の基地局と通信を行う。メインアンテナ部９０は、所定の使用周波数帯で基地局を介して外部の通信機器と通信を行う。なお、本実施形態では、所定の使用周波数帯として、８００ＭＨｚとしたが、他の周波数帯であってもよい。また、メインアンテナ部９０は、所定の使用周波数帯（第１使用周波数帯）のほかに、第２使用周波数帯（例えば、２ＧＨｚ）に対応できる、いわゆるデュアルバンド対応型による構成であってもよいし、更に、第３の使用周波数帯にも対応できる複数バンド対応型により構成されていてもよい。
なお、本実施形態において、可変アンテナ１００も所定条件を満たす場合には、通信用アンテナ（例えば、メール通信用アンテナ）やテレビジョン放送受信用アンテナ（ワンセグＴＶ放送受信用アンテナ）として機能する。
【００８２】
通信処理部２０１は、所定の機能部から供給された信号を変調処理しメインアンテナ部９０等を介して基地局に送信すると共に、メインアンテナ部９０により受信された信号を復調処理し所定の機能部に供給する。
【００８３】
操作部６００は、操作キー群１１を含んで構成される。
ＬＣＤ制御部４２は、ＣＰＵ４５の制御にしたがって、入力された画像データに対して所定の画像処理を行うと共に、画像処理された画像データをドライバＩＣ２５に出力する。ドライバＩＣ２５は、ＬＣＤ制御部４２から入力された画像データをフレームメモリに蓄えると共に、該フレームメモリに蓄えられた画像データを所定のタイミングで表示部２１に出力する。
表示部２１は、ドライバＩＣ２５から入力されたデータに基づいて、所定の文字や画像を表示する。
【００８４】
メモリ４４は、所定のデータを記憶する。具体的には、メモリ４４は、各種機能を動作させるアプリケーションプログラムや、プロフィール情報や、アドレス帳機能に利用されるアドレス情報等を記憶する。また、メモリ４４は、後述するスイッチ切り替えテーブル５１５を記憶する。
【００８５】
ＣＰＵ４５は、携帯電話機１の全体を制御する。ＣＰＵ４５は、特に、無線通信部２００と、ＬＣＤ制御部４２と、音声処理部４３に対して所定の制御を行う。また、ＣＰＵ４５は、後述する複数の機能部（例えば、開閉検知部４１０、アプリケーション検知部４２０、姿勢検知部４３０、スイッチ制御部４４０）を含む。
【００８６】
音声処理部４３は、ＣＰＵ４５の制御にしたがって、通信処理部２０１から供給された信号に対して所定の音声処理を行うと共に、音声処理された信号をスピーカ２２に出力する。スピーカ２２は、音声処理部４３から供給された信号に基づいて外部に放音（出力）する。また、音声処理部４３は、ＣＰＵ４５の制御にしたがって、マイク１２から入力された信号に対して所定の処理をすると共に、処理された信号を通信処理部２０１に出力する。通信処理部２０１は、音声処理部４３から入力された信号に所定の処理を行うと共に、処理がされた信号をメインアンテナ部９０に出力する。
【００８７】
電源部４６は、バッテリ８０を有して構成される。バッテリ８０は、所定容量を有するリチウムイオン電池である。
制御ＩＣ４７は、電源部４６から供給される電源電圧を所定の電源電圧に変換し、変換後の電源電圧を携帯電話機１における各部（例えば、ＣＰＵ４５等）に供給する。
【００８８】
ＲＦＩＤチップ１１０は、可変アンテナ１００（第１ループ状アンテナ又は第２ループ状アンテナ）で受信された信号によって誘起された電力に基づいて所定の電圧を生成する電源回路と、可変アンテナ１００により通信される信号に対して変調処理又は復調処理等の信号処理を行うＲＦ回路と、所定の演算処理を行うＣＰＵと、所定のデータが格納されているメモリと、を備える。
【００８９】
電源回路は、例えば、ＤＣ−ＤＣコンバータにより構成れる。
電源回路は、可変アンテナ１００により磁界が受信されることで電磁誘導作用により発生した起電力から所定の電源電圧を生成し、ＲＦ回路と、ＣＰＵと、メモリとに供給する。ＲＦ回路と、ＣＰＵと、メモリとは、電源回路から所定の電源電圧が供給されることにより停止状態から起動状態に移行する。
【００９０】
ＲＦ回路は、可変アンテナ１００を介して供給された信号に対して復調等の信号処理を行い、処理後の信号をＣＰＵに供給する。
ＲＦ回路は、メモリから読み出されたデータに対して変調等の信号処理を行い、可変アンテナ１００を介して外部のリーダ・ライタ装置に送信する。
【００９１】
ＣＰＵは、ＲＦ回路から供給された信号に基づいて、メモリにデータを書き込む、又は、メモリからデータを読み出す。ＣＰＵは、メモリからデータを読み出した場合には、該データをＲＦ回路に供給する。
【００９２】
続けて、図８から図１０Ｄにより、携帯電話機１における機能部及び可変アンテナ１００の態様について説明する。
図８は、携帯電話機における機能ブロック図である。図９は、スイッチ切り替えテーブルを説明する図である。図１０Ａは、第１ループ状アンテナに状態遷移した可変アンテナを説明する図である。図１０Ｂは、第２ループ状アンテナに状態遷移した可変アンテナを説明する図である。図１０Ｃは、第１モノポールアンテナに状態遷移した可変アンテナを説明する図である。図１０Ｄは、第２モノポールアンテナに状態遷移した可変アンテナを説明する図である。
【００９３】
図８に示すように、携帯電話機１は、無線通信部２００と、可変アンテナ１００と、ＲＦＩＤチップ１１０と、地磁気センサ３１０と、開閉センサ３２０と、ＣＰＵ４５と、メモリ４４とを備える。なお、無線通信部２００と、可変アンテナ１００と、ＲＦＩＤチップ１１０とにおける構成等は、上述の通りである。
【００９４】
地磁気センサ３１０は、本実施形態において操作部側筐体２に配置され、携帯電話機１の姿勢に関する情報を取得する。地磁気センサ３１０は、携帯電話機１に姿勢に関する情報を後述する姿勢検知部４３０に出力する。地磁気センサ３１０は、公知の地磁気センサにより構成される。
【００９５】
開閉センサ３２０は、操作部側筐体２及び表示部側筐体３が開状態にあるか、閉状態にあるかに関する開閉情報を取得する。開閉センサ３２０は、開閉情報を後述する開閉検知部４１０に出力する。開閉センサ３２０は、ホール素子や光検知センサ等を含む公知のセンサにより構成される。
【００９６】
ＣＰＵ４５は、機能部としての開閉検知部４１０（状態検知部）と、アプリケーション検知部４２０と、姿勢検知部４３０と、スイッチ制御部４４０とを含んで構成される。
【００９７】
開閉検知部４１０は、操作部側筐体２及び表示部側筐体３が開状態にあるか、閉状態にあるかを検知する。具体的には、開閉検知部４１０は、開閉センサ３２０からの開閉情報に基づいて、操作部側筐体２及び表示部側筐体３における開閉状態を検知する。開閉検知部４１０は、検知結果（閉状態である旨、又は開状態である旨）情報をスイッチ制御部４４０に出力する。
【００９８】
アプリケーション検知部４２０は、アプリケーションの種類を検知する。アプリケーション検知部４２０は、起動している（又は選択されている）アプリケーションの種類を検知する。
アプリケーション検知部４２０は、開閉検知部４１０により操作部側筐体２及び表示部側筐体３が開状態であることが検知された場合、アプリケーションの種類を検知すると共に、検知したアプリケーションの種類に関する情報をスイッチ制御部４４０に出力する。
【００９９】
姿勢検知部４３０は、操作部側筐体２及び表示部側筐体３における姿勢を検知する。具体的には、姿勢検知部４３０は、地磁気センサ３１０からの情報に基づいて、操作部側筐体２及び表示部側筐体３（携帯電話機１）の姿勢を検知する。詳細には、姿勢検知部４３０は、開閉検知部４１０により操作部側筐体２及び表示部側筐体３が閉状態であると検知された場合、第１ループ状アンテナ部１０２（表示部側外面３Ｂ（第１面））と、第２ループ状アンテナ部（操作部側外面２Ｂ（第２面））とのいずれが垂直方向下側（リーダ・ライタ装置側）に配置されるかを検知する。
ここで、本実施形態における姿勢検知部は、地磁気センサと姿勢検知部４３０とを有して構成される。
【０１００】
スイッチ制御部４４０は、スイッチ部ＳＷを制御する。スイッチ制御部４４０は、スイッチ部ＳＷを構成する第１Ａスイッチ部１５０、第１Ｂスイッチ部１５５、第２Ａスイッチ部１６０、第２Ｂスイッチ部１６５それぞれにおける接続状態を制御する。
スイッチ制御部４４０は、開閉検知部４１０における検知結果、アプリケーション検知部４２０における検知結果や、姿勢検知部４３０における検知結果に基づいて、スイッチ部ＳＷを構成する各スイッチ部における接続状態を制御する。
スイッチ制御部４４０は、例えば、後述するスイッチ切り替えテーブル記憶部５１０に記憶されるスイッチ切り替えテーブル５１５を参照して、スイッチ部ＳＷを構成する各スイッチ部における接続状態を制御する。
【０１０１】
スイッチ制御部４４０は、開閉検知部４１０により操作部側筐体２及び表示部側筐体３が閉状態であることが検知された場合、姿勢検知部４３０により検知された操作部側筐体２及び表示部側筐体３（携帯電話機１）における姿勢に基づいて、スイッチ部ＳＷにおける接続状態を制御する。
【０１０２】
具体的には、スイッチ制御部４４０は、開閉検知部４１０により操作部側筐体２及び表示部側筐体３が閉状態であることが検知された場合、姿勢検知部４３０により検知された操作部側筐体２及び表示部側筐体３（携帯電話機１）における姿勢に基づいて、第１ループ状アンテナ部１０２又は第２ループ状アンテナ部１０３のうち垂直方向下側に配置されるループアンテナ部が機能するようスイッチ部ＳＷにおける接続状態を制御する。
【０１０３】
姿勢検知部４３０により表示部側筐体３（表示部側外面３Ｂ（第１面））が垂直方向下側に配置されていることが検知された場合、スイッチ制御部４４０は、第１ループ状アンテナ部１０２を機能させ、可変アンテナ１００（可変アンテナ部ＡＴ）を第１ループ状アンテナとして機能させるよう各スイッチ部の接続状態を制御する。この場合における各スイッチの接続状態（接続先）は、図９に示すスイッチ切り替えテーブル５１５のパターンＡに示す通りである。
また、第１ループ状アンテナとして機能する場合における可変アンテナ１００（可変アンテナ部ＡＴ）の態様は、図１０Ａに示す通り（実線部分）である。
【０１０４】
姿勢検知部４３０により操作部側筐体２（操作部側外面２Ｂ（第２面））が垂直方向下側に配置されていることが検知された場合、スイッチ制御部４４０は、第２ループ状アンテナ部１０４を機能させ、可変アンテナ１００（可変アンテナ部ＡＴ）を第２ループ状アンテナとして機能させるよう各スイッチ部の接続状態を制御する。この場合における各スイッチの接続状態（接続先）は、図９に示すスイッチ切り替えテーブル５１５のパターンＢに示す通りである。
また、第２ループ状アンテナとして機能する場合における可変アンテナ１００（可変アンテナ部ＡＴ）の態様は、図１０Ｂに示す通り（実線部分）である。
【０１０５】
スイッチ制御部４４０は、開閉検知部４１０により操作部側筐体２及び表示部側筐体３が開状態であることが検知された場合、アプリケーション検知部４２０により検知されたアプリケーションの種類に基づいて、スイッチ部ＳＷにおける各スイッチ部の接続状態を制御する。
【０１０６】
スイッチ制御部４４０は、アプリケーション検知部４２０により検知されたアプリケーションの種類が所定の種類（例えば、メール通信用アプリケーションやテレビジョン視聴用アプリケーション）である場合、モノポールアンテナを形成するようスイッチ部ＳＷを構成する各スイッチ部における接続状態を制御する。
【０１０７】
スイッチ制御部４４０は、例えば、可変アンテナ１００（可変アンテナ部ＡＴ）が接続アンテナ部１０４の一部である第１接続アンテナ部１０４Ａからなる第１モノポールアンテナと、接続アンテナ部１０４の一部である第１接続アンテナ部１０４Ａと第１ループ状アンテナ部１０２とを含む第２モノポールアンテナと、を形成するようスイッチ部ＳＷを構成する各スイッチ部における接続状態を制御する。
【０１０８】
スイッチ制御部４４０は、例えば、アプリケーション検知部４２０により検知されたアプリケーションの種類がメール通信用アプリケーションである場合、可変アンテナ１００（可変アンテナ部ＡＴ）が第１モノポールアンテナを形成するようスイッチ部ＳＷを構成する各スイッチ部における接続状態を制御する。この場合における各スイッチの接続状態（接続先）は、図９に示すスイッチ切り替えテーブル５１５のパターンＣに示す通りである。
また、第１モノポールアンテナとして機能する場合における可変アンテナ１００（可変アンテナ部ＡＴ）の態様は、図１０Ｃに示す通り（実線部分）である。
【０１０９】
スイッチ制御部４４０は、例えば、アプリケーション検知部４２０により検知されたアプリケーションの種類がテレビジョン視聴用アプリケーションである場合、可変アンテナ１００（可変アンテナ部ＡＴ）が第２モノポールアンテナを形成するようスイッチ部ＳＷを構成する各スイッチ部における接続状態を制御する。この場合における各スイッチの接続状態（接続先）は、図９に示すスイッチ切り替えテーブル５１５のパターンＤに示す通りである。
具体的には、本実施形態において、携帯電話機１は、テレビジョン放送を受信可能なテレビジョン通信部を備える。スイッチ制御部４４０は、アプリケーション検知部４２０により検知されたアプリケーションの種類がテレビジョン視聴用アプリケーションである場合、テレビジョン放送受信アンテナとして、可変アンテナ１００（可変アンテナ部ＡＴ）が第２モノポールアンテナを形成するようスイッチ部ＳＷを構成する各スイッチ部における接続状態を制御する。
第１モノポールアンテナとして機能する場合における可変アンテナ１００（可変アンテナ部ＡＴ）の態様は、図１０Ｄに示す通り（実線部分）である。
【０１１０】
メモリ４４は、複数のアプリケーションプログラムを記憶する。
また、メモリ４４は、スイッチ切り替えテーブル記憶部５１０を含む。
スイッチ切り替えテーブル記憶部５１０は、スイッチ切り替えテーブル５１５を記憶する（図９参照）。
【０１１１】
図９に示すように、スイッチ切り替えテーブル５１５は、操作部側筐体２及び表示部側筐体３の開閉状態、アプリケーションの種類、姿勢状態（垂直方向下側に配置されるループ状アンテナ部）に基づいて設定されたアンテナ態様の情報と、該アンテナ態様とするためのスイッチ部ＳＷを構成する各スイッチ部の接続状態の情報とを含む。
スイッチ切り替えテーブル５１５は、スイッチ制御部４４０に参照される。
【０１１２】
続けて、図１１により、携帯電話機１の動作について説明する。図１１は、携帯電話機における動作を説明するフロー図である。
【０１１３】
まず、ステップＳＴ１において、開閉検知部４１０は、操作部側筐体２及び表示部側筐体３（携帯電話機１）の開閉状態を検知する。開閉検知部４１０は、開閉センサ３２０からの情報に基づいて、操作部側筐体２及び表示部側筐体３の開閉状態を検知する。開閉検知部４１０は、検知結果の情報をスイッチ制御部４４０に出力する。
検知結果が閉状態である場合（ＳＴ１、ＹＥＳ）には、処理は、ステップＳＴ２に進む。検知結果が開状態である場合（ＳＴ１、ＮＯ）には、処理は、ステップＳＴ６に進む。
【０１１４】
次いで、ステップＳＴ２において、姿勢検知部４３０は、操作部側筐体２及び表示部側筐体３（携帯電話機１）の姿勢状態を検知する。姿勢検知部４３０は、地磁気センサ３１０からの情報に基づいて、操作部側筐体２及び表示部側筐体３（携帯電話機１）の姿勢状態を検知する。具体的には、姿勢検知部４３０は、垂直方向下側に配置されるループ状アンテナ部が第１ループ状アンテナ部１０２であるか、第２ループ状アンテナ部１０３であるかを検知する。
第１ループ状アンテナ部１０２が垂直方向下側に配置されていることが検知された場合（ＳＴ２、Ａ）、処理は、ステップＳＴ３に進む。また、第２ループ状アンテナ部１０３が垂直方向下側に配置されていることが検知された場合（ＳＴ２、Ｂ）、処理は、ステップＳＴ４に進む。
【０１１５】
続けて、ステップＳＴ３において、スイッチ制御部４４０は、第１ループ状アンテナ部１０２を機能させるようスイッチ部ＳＷを構成する各スイッチ部の接続状態を制御する。スイッチ制御部４４０は、可変アンテナ１００（可変アンテナ部ＡＴ）が第１ループ状アンテナ（図１０Ａ参照）を形成するよう各スイッチの接続状態を制御する。具体的には、スイッチ制御部４４０は、スイッチ切り替えテーブル記憶部５１０に記憶されるスイッチ切り替えテーブル５１５のパターンＡの情報を参照して、各スイッチの接続状態を制御する。
【０１１６】
また、ステップＳＴ４において、スイッチ制御部４４０は、第２ループ状アンテナ部１０３を機能させるようスイッチ部ＳＷを構成する各スイッチ部の接続状態を制御する。スイッチ制御部４４０は、可変アンテナ１００（可変アンテナ部ＡＴ）が第２ループ状アンテナ（図１０Ｂ参照）を形成するよう各スイッチの接続状態を制御する。具体的には、スイッチ制御部４４０は、スイッチ切り替えテーブル記憶部５１０に記憶されるスイッチ切り替えテーブル５１５のパターンＢの情報を参照して、各スイッチの接続状態を制御する。
【０１１７】
続けて、ステップＳＴ５において、ＲＦＩＤチップ１１０は、各ループ状アンテナを介して外部のリーダ・ライタ装置により情報の読み出し及び情報の書き込み処理が行われる。そして、所定の読み出し及び情報の書き込み処理が行われた後、携帯電話機１における処理は、終了となる。
【０１１８】
また、ステップＳＴ６において、アプリケーション検知部４２０は、起動しているアプリケーションを検知する。
検知されたアプリケーションの種類が所定の種類（例えば、メール通信用アプリケーションや、テレビジョン視聴用アプリケーション）である場合（ステップＳＴ６、ＹＥＳ）、処理は、ステップＳＴ７に進む。また、検知されたアプリケーションが所定の種類ではない場合（ステップＳＴ６、ＮＯ）、処理は、終了となる。
【０１１９】
ステップＳＴ７において、スイッチ制御部４４０は、可変アンテナ１００（可変アンテナ部ＡＴ）が検知されたアプリケーションの種類に対応したアンテナ形態となるようスイッチ部ＳＷを構成する各スイッチ部の接続状態を制御する。
具体的には、スイッチ制御部４４０は、スイッチ切り替えテーブル記憶部５１０に記憶されるスイッチ切り替えテーブル５１５を参照して、検知されたアプリケーションの種類に対応したアンテナ形態となるよう各スイッチ部の接続状態を制御する。
【０１２０】
更に具体的には、スイッチ制御部４４０は、アプリケーション検知部４２０により検知されたアプリケーションがメール通信用アプリケーションである場合、可変アンテナ１００（可変アンテナ部ＡＴ）が第１モノポールアンテナ（図１０Ｃ参照）を形成するよう各スイッチの接続状態を制御する。スイッチ制御部４４０は、スイッチ切り替えテーブル記憶部５１０に記憶されるスイッチ切り替えテーブル５１５のパターンＣの情報を参照して、各スイッチの接続状態を制御する。
【０１２１】
また、スイッチ制御部４４０は、アプリケーション検知部４２０により検知されたアプリケーションがテレビジョン視聴用アプリケーションである場合、可変アンテナ１００（可変アンテナ部ＡＴ）が第２モノポールアンテナ（図１０Ｄ参照）を形成するよう各スイッチの接続状態を制御する。スイッチ制御部４４０は、スイッチ切り替えテーブル記憶部５１０に記憶されるスイッチ切り替えテーブル５１５のパターンＤの情報を参照して、各スイッチの接続状態を制御する。
【０１２２】
本実施形態によれば、携帯電話機１は、２つのループ状アンテナ部を有すると共に、姿勢検知部４３０により所定側のループ状アンテナ部を機能させることができる。これにより、携帯電話機１は（操作部側筐体２及び表示部側筐体３が閉状態において）、表示部側外面３Ｂ（第１面）と操作部側外面２Ｂ（第２面）とのいずれの面をリーダ・ライタ装置に向けても好適にＲＦＩＤチップ１１０への読み込み／書き込み処理を行うことができる。
【０１２３】
また、本実施形態によれば、開閉検知部４１０により操作部側筐体２及び表示部側筐体３が開状態にあることが検知された場合、携帯電話機１は、起動しているアプリケーションの種類を検知すると共に、可変アンテナ１００（可変アンテナ部ＡＴ）を検知されたアプリケーションの種類に対応したモノポールアンテナ形態にすることができる。つまり、携帯電話機１は、ループ状アンテナだけでなく、モノポールアンテナとしても使用できる可変アンテナ１００を有する。更には、携帯電話機１は、複数種類のモノポールアンテナを形成可能な可変アンテナ１００を有する。
これにより、携帯電話機１は、様々なアプリケーション（機能）に対応可能となり、使用性が向上される。
【０１２４】
以上、好適な実施形態について説明したが、本発明は上述した実施形態に限定されることなく種々の形態で実施することができる。例えば、本実施形態において、携帯無線端末装置として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【０１２５】
本実施形態において、可変アンテナ１００（ＲＦＩＤチップ１１０）は、電源部を有さない受動型（Ｐａｓｓｉｖｅ）の誘導電磁界方式（電磁誘導方式）であるものとして説明を行ったが、これに限定されない。可変アンテナ１００（ＲＦＩＤチップ１１０）は、例えば、受動型の相互誘導方式（電磁結合方式）又は放射電磁界方式（電波方式）であってもよい。また、可変アンテナ１００（ＲＦＩＤチップ１１０）は、例えば、電源部を有する能動型（Ａｃｔｉｖｅ）であってもよい。
また、外部装置は、リード・ライト型のほか、リードオンリー型や、ライトワンス型等であってもよい。
【０１２６】
また、本実施形態において、連結部４により折り畳み可能（開閉可能）な携帯電話機１の説明をしているが、これに限定されない。携帯電話機１は、例えば、筺体が変形しないストレートタイプや、開閉及び回転可能ないわゆる２軸ヒンジタイプや、操作部側筐体２と表示部側筐体３との重ね合わせた状態から一方の筐体を一方向にスライドさせるようにしたスライドタイプであってもよい。
携帯電話機１は、所定状態（筺体が変形するタイプは変形可能な態様のうちいずれかの状態、筺体が変形しないタイプでは基本状態）において、第１ループ状アンテナ部が一方の第１面側に配置され、第２ループ状アンテナ部が対向する他方の第２面に配置されていればよい。
【０１２７】
例えば、ストレートタイプの携帯電話機は、第１面及び前記第１面に対向する第２面を有する一の筺体と、前記筺体内部における前記第１面側に配置される第１ループ状アンテナ部と、前記筺体内部における前記第２面側に配置される第２ループ状アンテナ部と、給電部と、前記給電部に接続されると共に、前記第１ループ状アンテナ部と前記第２ループ状アンテナ部とに電気的に接続可能に構成される接続アンテナ部と、前記第１ループ状アンテナ部と前記接続アンテナ部との電気的な接続を切り替えると共に、前記第２ループ状アンテナ部と前記接続アンテナ部との電気的な接続を切り替えるスイッチ部と、前記筺体における姿勢を検知する姿勢検知部と、前記姿勢検知部により検知された前記筺体における姿勢に基づいて、前記スイッチ部における接続状態を制御するスイッチ制御部と、を備える。各構成要素は、上述の携帯電話機１における構成要素と同様である。
【０１２８】
また、本実施形態において、可変アンテナ１００（可変アンテナ部ＡＴ）は、第１モノポールアンテと第２モノポールアンテナを形成可能であるが、これに限定されず、各スイッチの接続を切り替えることで、更に異なる周波数等に対応可能なモノポールアンテナを形成可能である。
【符号の説明】
【０１２９】
１          携帯電話機
２          操作部側筐体
２Ｂ        操作部側外（第２面）
３          表示部側筐体
３Ｂ        表示部側外面（第１面）
４          連結部
４４        メモリ
４５        ＣＰＵ
１００      可変アンテナ
１０１      シート部
１０２      第１ループ状アンテナ部
１０３      第２ループ状アンテナ部
１０４      接続アンテナ部
１１０      ＲＦＩＤチップ
１５０      第１Ａスイッチ部
１５５      第１Ｂスイッチ部
１６０      第２Ａスイッチ部
１６５      第２Ｂスイッチ部
１９０      給電部
３１０      地磁気センサ（姿勢検知部）
３２０      開閉センサ
４１０      開閉検知部
４２０      アプリケーション検知部
４３０      姿勢検知部
４４０      スイッチ制御部
５１０      スイッチ切り替えテーブル記憶部
ＡＴ        可変アンテナ部
ＳＷ        スイッチ部
【図１】
0005524670.tif 000002
【図２】
0005524670.tif 000003
【図３】
0005524670.tif 000004
【図４】
0005524670.tif 000005
【図５】
0005524670.tif 000006
【図６】
0005524670.tif 000007
【図７】
0005524670.tif 000008
【図８】
0005524670.tif 000009
【図９】
0005524670.tif 000010
【図１０Ａ】
0005524670.tif 000011
【図１０Ｂ】
0005524670.tif 000012
【図１０Ｃ】
0005524670.tif 000013
【図１０Ｄ】
0005524670.tif 000014
【図１１】
0005524670.tif 000015